【手続補正書】
【提出日】平成19年9月11日(2007.9.11)
【手続補正１】
【補正対象書類名】特許請求の範囲
【補正対象項目名】全文
【補正方法】変更
【補正の内容】
【特許請求の範囲】
【請求項１】
移動体に装着される装着装置であり、
移動体の移動経路を示す移動情報を記憶する移動情報記憶部と、
移動体の移動経路を測定し移動情報として前記移動情報記憶部に記憶する測定部と
移動体を識別する識別情報を記憶する識別情報記憶部と、
前記移動情報記憶部に記憶された移動情報の送信と前記識別情報記憶部に記憶された識別情報の送信とを行う装着装置通信部と
を備えた装着装置と、
通信する通信装置であり、
前記通信装置の所在位置を示す所在情報を記憶する所在情報記憶部と、
前記装着装置が前記通信装置との通信可能範囲に移動してきたときに前記装着装置通信部の送信した識別情報を受信すると共に、前記所在情報記憶部に記憶された所在情報と受信した識別情報とを送信する通信装置通信部と
を備えた通信装置と、
情報管理を行う管理装置であり、
前記装着装置通信部が送信した移動体の移動情報の受信と前記通信装置通信部が送信した前記装着装置の識別情報と前記通信装置の所在情報との受信とを行う管理装置通信部と、
前記管理装置通信部の受信した各情報に対して、識別情報で識別される移動体の移動情報の示す移動経路に、前記通信装置の所在情報の示す所在位置が含まれるか判定し、判定結果に基づいて移動情報が正当な情報であるかを求める移動情報判定部と
を備えた管理装置と
を有することを特徴とする移動情報管理システム。
【請求項２】
前記装着装置の前記測定部は、
移動体の速度を測定し移動経路と速度とを移動情報として前記移動情報記憶部に記憶し、
前記管理装置は、さらに、
交通規則を示す規則情報を記憶する規則情報記憶部と、
前記規則情報記憶部に記憶された規則情報の示す交通規則と、前記移動情報判定部が正当な情報であるとした移動情報の示す移動経路と速度とに基づいて移動体の交通違反を判定する移動情報解析部と、
前記移動情報解析部が判定した判定結果に基づいて識別情報で識別される前記装着装置の利用者に対する課金処理を行う課金部と
を備えたことを特徴とする請求項１記載の移動情報管理システム。
【請求項３】
前記管理装置の前記移動情報解析部は、
前記移動情報判定部が正当な情報であるとした移動情報の示す移動経路に基づいて移動距離を判定し、
前記管理装置の前記課金部は、
前記移動情報解析部が判定した移動距離に基づいて識別情報で識別される前記装着装置の利用者に対する課金処理を行う
ことを特徴とする請求項２記載の移動情報管理システム。
【請求項４】
前記管理装置の前記移動情報解析部は、
前記規則情報記憶部に記憶された規則情報と、前記移動情報判定部が正当な情報であるとした移動情報とを比較して運転の優良度を判定し、
前記管理装置の前記課金部は、
前記移動情報解析部が判定した判定結果に基づいて識別情報で識別される前記装着装置の利用者に対する返金処理を行う
ことを特徴とする請求項２または請求項３記載の移動情報管理システム。
【請求項５】
前記装着装置は、さらに、
測位処理に使用する測位情報の受信と測位情報を補正する補正情報の受信とを行う測位用受信部と、
移動方向と移動速度とを計測する計測部とを備え、
前記装着装置の前記測定部は、移動した各位置で、
前記測位用受信部が測位情報と補正情報とを受信できた場合、測位情報と補正情報とに基づいて測位し、前記測位用受信部が補正情報を受信できなかった場合、測位情報に基づいて測位し、前記測位用受信部が測位情報と補正情報とを受信できなかった場合、測位済みの位置情報と前記計測部が計測した移動方向と移動速度とに基づいて測位し、測位した各位置の位置情報を移動情報とする
ことを特徴とする請求項１〜請求項４いずれかに記載の移動情報管理システム。
【請求項６】
移動体の移動経路を示す移動情報の受信と、移動体と通信した通信装置の所在位置を示す所在情報の受信と、通信装置が通信した移動体を識別する識別情報の受信とを行う管理装置通信部と、
前記管理装置通信部の受信した各情報に対して、識別情報で識別される移動体の移動情報の示す移動経路に、通信装置の所在情報の示す所在位置が含まれるか判定し、判定結果に基づいて移動情報が正当な情報であるかを求める移動情報判定部と
を備えたことを特徴とする管理装置。
【請求項７】
移動体の移動経路を示す移動情報を受信する移動情報受信工程と、
移動体と通信した通信装置の所在位置を示す所在情報を受信する所在情報受信工程と、
通信装置が通信した移動体を識別する識別情報を受信する識別情報受信工程と、
前記の各受信工程で受信した各情報に対して、識別情報で識別される移動体の移動情報の示す移動経路に、通信装置の所在情報の示す所在位置が含まれるか判定し、判定結果に基づいて移動情報が正当な情報であるかを求める移動情報判定工程と
を実行することを特徴とする移動情報管理方法。
【請求項８】
請求項７記載の移動情報管理方法をコンピュータに実行させるプログラム。
【請求項９】
通信する通信装置であり、
各種プログラムを記憶するプログラム記憶部と、
前記プログラム記憶部に記憶されたプログラムを実行するプログラム実行部と、
前記プログラム実行部を制御するプログラム制御部とを備え、
前記プログラム制御部は、
前記プログラム実行部がプログラムを実行する場合に、一つのプログラムに対して複数のポートを割り当てて、いずれのポートにおいても通信可能な状態にしておき、少なくとも一つのポートを優先度の高いデータの送受信に用いる
ことを特徴とする通信装置。
【請求項１０】
情報処理装置間で、プログラムを識別するポートを設定し、データとデータを処理するプログラムを識別するポート番号とを通信し、通信したポート番号で識別されるプログラムを実行してデータを処理する処理方法において、
同一プログラムに対して複数のポート番号を設定するポート設定工程と、
データの優先度を判定する優先度判定工程と、
前記優先度判定工程で判定した優先度の異なるデータに対して、前記ポート設定工程で設定したポート番号を振り分けるポート振分工程と、  データと前記ポート振分工程でデータに対して振り分けられたポート番号とを通信する通信工程と、
前記通信工程で通信したポート番号を判定し、プログラムを実行して、優先度の高いデータを優先して処理する処理工程と
を実行することを特徴とする処理方法。
【請求項１１】
請求項１０記載の処理方法をコンピュータに実行させるプログラム。
【請求項１２】
移動体に装着される装着装置であり、
移動体の移動経路を示す移動情報を記憶する移動情報記憶部と、
移動体の移動経路を測定し移動情報として前記移動情報記憶部に記憶する測定部と
移動体を識別する識別情報を記憶する識別情報記憶部と、
前記移動情報記憶部に記憶された移動情報の送信と前記識別情報記憶部に記憶された識別情報の送信とを行う装着装置通信部と
を備えたことを特徴とする装着装置。
【手続補正２】
【補正対象書類名】明細書
【補正対象項目名】発明の名称
【補正方法】変更
【補正の内容】
【発明の名称】移動情報管理システム、管理装置、移動情報管理方法、通信装置、処理方法、プログラムおよび装着装置
【手続補正３】
【補正対象書類名】明細書
【補正対象項目名】０００１
【補正方法】変更
【補正の内容】
【０００１】
本発明は、移動体の移動情報に関する管理システムにおける移動情報管理システム、管理装置、移動情報管理方法、通信装置、処理方法、プログラムおよび装着装置に関するものである。